(57)【要約】      （修正有）【課題】プロジェクトに応じた作業項目を抽出できるようにする。【解決手段】子作業の識別子と、子作業の名称と、子作業に対する関連親作業の識別子と、子作業の関連親作業との関係種別とが相互に関連付けられた子作業候補情報を記憶装置に予め登録し（Ｓ１１）、親作業候補情報のうちのいずれか一つの指定を受け付けると共に、指定された親作業候補情報が示す親作業に対する子作業の関係種別の指定を受け付け（Ｓ３４，３５）、指定された親作業候補情報が示す親作業の識別子を関連親作業の識別子とし、且つ指定された関係種別を関係種別とする１以上の子作業候補情報を抽出して、１以上の子作業候補情報が示す各子作業の名称を出力し（Ｓ１８）、出力された１以上の子作業の名称のうちから、１以上の子作業の名称の指定を受け付け（Ｓ３６）、指定された１以上の子作業の名称と指定された親作業の識別子とを関連付けて記憶装置に記憶する（Ｓ１９）。【選択図】図３
2009169667.tif 000002
【特許請求の範囲】
【請求項１】
プロジェクトの作業計画の立案を支援するプロジェクト計画立案支援システムにおいて、
親作業の識別子と、該親作業の名称とが相互に関連付けられた複数の親作業候補情報が記憶されている親作業候補記憶部と、
子作業の識別子と、該子作業の名称と、該子作業に対する関連親作業の識別子と、該子作業の該関連親作業との関係種別とが相互に関連付けられた複数の子作業候補情報が記憶されている子作業候補記憶部と、
前記親作業候補記憶部に記憶されている複数の親作業候補情報のうちのいずれか一つの指定を受け付けると共に、指定された親作業候補情報が示す親作業に対する子作業の関係種別の指定を受け付ける親作業指定受付手段と、
前記子作業候補記憶部に記憶されている複数の子作業候補情報のうちから、前記親作業指定受付手段で指定された親作業候補情報が示す親作業の識別子を前記関連親作業の識別子とし、且つ該親作業指定受付手段で指定された関係種別を関係種別とする１以上の子作業候補情報を抽出し、１以上の子作業候補情報が示す各子作業の名称を出力する子作業抽出手段と、
前記子作業抽出手段で出力された前記１以上の子作業の名称のうちから、１以上の子作業の名称の指定を受け付ける子作業指定受付手段と、
前記子作業指定受付手段で指定された前記１以上の子作業の名称と、前記親作業指定受付手段で指定された親作業候補情報のうちの親作業の識別子又は親作業の名称とを関連付けて記憶する記憶手段と、
を備えていることを特徴とするプロジェクト計画立案支援システム。
【請求項２】
請求項１に記載のプロジェクト計画立案支援システムにおいて、
前記子作業候補記憶部に記憶されている複数の子作業候補情報のうち、少なくとも１の子作業候補情報には、前記子作業の名称として前記関連親作業に対して代替可能な子作業の名称が示され、前記関係種別として代替型が示されている、
ことを特徴とするプロジェクト計画立案支援システム。
【請求項３】
請求項１及び２のいずれか一項に記載のプロジェクト計画立案支援システムにおいて、
前記子作業候補記憶部に記憶されている複数の子作業候補情報のうち、少なくとも１の子作業候補情報には、前記子作業の名称として前記関連親作業に対してさらに追加することが好ましい子作業の名称が示され、前記関係種別として追加型が示されている、
ことを特徴とするプロジェクト計画立案支援システム。
【請求項４】
請求項１から３のいずれか一項に記載のプロジェクト計画立案支援システムにおいて、
前記親作業情報記憶部に前記親作業候補情報を登録し、子作業情報記憶部に前記子作業候補情報を登録する登録手段を備えている、
ことを特徴とするプロジェクト計画立案支援システム。
【請求項５】
プロジェクトの作業計画の立案を支援するプロジェクト計画立案支援プログラムにおいて、
親作業の識別子と、該親作業の名称とが相互に関連付けられた複数の親作業候補情報がコンピュータの記憶部に予め記憶されていると共に、子作業の識別子と、該子作業の名称と、該子作業に対する関連親作業の識別子と、該子作業の該関連親作業との関係種別とが相互に関連付けられた複数の子作業候補情報が該コンピュータの該記憶部に記憶されており、
前記記憶部に記憶されている複数の親作業候補情報のうちのいずれか一つの指定を受け付けると共に、指定された親作業候補情報が示す親作業に対する子作業の関係種別の指定を、前記コンピュータの入出力手段により受け付ける親作業指定受付ステップと、
前記記憶部に記憶されている複数の子作業候補情報のうちから、前記親作業指定受付ステップで指定された親作業候補情報が示す親作業の識別子を前記関連親作業の識別子とし、且つ該親作業指定受付ステップで指定された関係種別を関係種別とする１以上の子作業候補情報を抽出し、１以上の子作業候補情報が示す各子作業の名称を、前記入出力手段により出力する子作業抽出ステップと、
前記子作業抽出ステップで出力された１以上の子作業の名称のうちから、１以上の子作業の名称の指定を、前記入出力手段により受け付ける子作業指定受付ステップと、
前記子作業指定受付ステップで指定された１以上の子作業の名称と、前記親作業指定受付ステップで指定された親作業候補情報のうちの親作業の識別子又は親作業の名称とを関連付けて前記記憶部に記憶する記憶ステップと、
を前記コンピュータに実行させることを特徴とするプロジェクト計画立案支援プログラム。
【請求項６】
請求項５に記載のプロジェクト計画立案支援システムにおいて、
前記親作業候補情報及び前記子作業候補情報を、前記コンピュータの前記入出力手段により受け付けて、該親作業候補情報及び該子作業候補情報を、前記記憶部に登録する登録ステップを、
前記コンピュータに実行させることを特徴とするプロジェクト計画立案支援プログラム。
【請求項７】
請求項６に記載のプロジェクト計画立案支援プログラムにおいて、
前記登録ステップで受け付ける前記子作業候補情報には、前記子作業の名称として前記関連親作業に対して代替可能な子作業の名称が示され、前記関係種別として代替型が示されている子作業候補情報を含む、
ことを特徴とするプロジェクト計画立案支援プログラム。
【請求項８】
請求項６及び７のいずれか一項に記載のプロジェクト計画立案支援プログラムにおいて、
前記登録ステップで受け付ける前記子作業候補情報には、前記子作業の名称として前記関連親作業に対してさらに追加することが好ましい子作業の名称が示され、前記関係種別として追加型が示されている子作業候補情報を含む、
ことを特徴とするプロジェクト計画立案支援プログラム。
【発明の詳細な説明】
【技術分野】
【０００１】
本発明は、プロジェクト作業計画の立案を支援するプロジェクト計画立案支援システム及びそのプログラムに関する。
【背景技術】
【０００２】
製品開発等のプロジェクトにおいては、プロジェクトの開始時点で、プロジェクトで実現すべき成果の範囲、および、利用可能なリソース、期間が定められている。
【０００３】
プロジェクト計画立案者は、限られたリソースにより、期限内で、目標とする成果物を開発するため、作業項目を明確化し、作業を担当するリソースを設定し、期限内に完了するように、複数の作業項目相互の先行関係と、各作業項目の作業量に対する担当者の負荷および作業効率を加味しながら、作業の開始終了予定日を設定する。
【０００４】
このプロジェクト計画立案で、作業項目の抽出に関しては、以下の非特許文献１に開示されている方法がある。この方法は、プロジェクトの成果物を起点として、作業項目へと分解するWBSと呼ばれる方法である。
【０００５】
この他、プロジェクト計画立案に関する技術としては、以下の特許文献２に開示されている技術もある。
【０００６】
【特許文献１】特開2002-324157号公報
【非特許文献１】Practice Standard for WORK BREAKDOWN STRUCTURE
【発明の開示】
【発明が解決しようとする課題】
【０００７】
しかしながら、上記非特許文献１に記載の方法は、製品開発プロジェクト等、成果物が明快なプロジェクトでは有効であるが、例えば、引合いから契約までのプロジェクト等、成果物を明確に定義することが困難であり、さらに、最終成果物を起点として作業項目を正確に分解することが困難であるため、プロジェクトに応じた的確な作業項目を抽出できない場合があるという問題点がある。
【０００８】
そこで、本発明は、以上の問題点を考慮し、引合いから契約までのプロジェクト等、成果物を明確に定義することが困難なプロジェクトであっても、このプロジェクトに応じた作業項目を抽出することができるプロジェクト計画立案支援システム及びそのプログラムを提供することを目的とする。
【課題を解決するための手段】
【０００９】
前記問題を解決するために、本発明では、
親作業の識別子と、該親作業の名称とが相互に関連付けられた複数の親作業候補情報、及び、子作業の識別子と、該子作業の名称と、該子作業に対する関連親作業の識別子と、該子作業の該関連親作業との関係種別とが相互に関連付けられた複数の子作業候補情報をコンピュータの記憶部に予め記憶しておき、
前記記憶部に記憶されている１以上の親作業候補情報のうちのいずれか一つの指定を受け付けると共に、指定された親作業候補情報が示す親作業に対する子作業の関係種別の指定を、前記コンピュータの入出力手段により受け付け、
前記記憶部に記憶されている複数の子作業候補情報のうちから、指定された親作業候補情報が示す親作業の識別子を前記関連親作業の識別子とし、且つ該親作業指定受付ステップで指定された関係種別を関係種別とする１以上の子作業候補情報を抽出して、１以上の子作業候補情報が示す各子作業の名称を出力し、
出力された１以上の子作業の名称のうちから、１以上の子作業の名称の指定を受け付け、
指定された１以上の子作業の名称と、前記親作業指定受付ステップで指定された親作業候補情報のうちの親作業の識別子又は親作業の名称とを関連付けて前記記憶部に記憶する。
【００１０】
ここで、コンピュータの記憶部に記憶されている複数の子作業候補情報には、関連親作業に対して代替可能な子作業の情報と、関連親作業に対してさらに追加することが好ましい子作業の情報と、関連親作業に対して当該親作業をさらに細分化した関係の複数の子作業の情報と、のうちのいずれか二つが含まれていることが好ましい。
【発明の効果】
【００１１】
本発明では、親作業とのいろいろな関係種別の子作業を用いて、子作業の抽出作業が行えるので、例えば、引合いから契約までのプロジェクト等、成果物を明確に定義することが困難なプロジェクトであっても、このプロジェクトに応じた作業項目を抽出することができる。
【発明を実施するための最良の形態】
【００１２】
以下、図面を参照しながら、本発明のプロジェクト計画立案支援システムの一実施形態を説明する。尚、以下に説明する発明の実施の形態においては、プロジェクトの中でも、特に作業項目を定義することが困難な、引合いから契約までの上流工程の業務や営業活動等の人間活動を中心とするプロジェクトの計画立案の支援に特徴がある。
【００１３】
また、以下の説明では、プロジェクト支援者をプロジェクトマネジメントオフィスのように組織全体のプロジェクト管理を支援するスタッフとして記述しているが、品質保証部門や技術部門、あるいはプロセス改善スタッフ等を含める場合も有りうる。さらに、個々のプロジェクトの計画を立案する担当者をプロジェクト計画者と呼んでいるが、プロジェクトリーダやプロジェクトマネージャが担当する場合も有りうることを想定している。
【００１４】
まず、本発明の一実施形態であるプロジェクト計画立案支援システムの構成と概要について述べる。
【００１５】
図１は、本発明の一実施形態におけるプロジェクト計画立案支援システムの構成を示す図である。
【００１６】
図１に示すように、プロジェクト計画立案支援システム１００は、コンピュータで構成されている。このプロジェクト計画立案支援システム１００は、インターネットNを介して、他のコンピュータと通信するためのネットワークインタフェース１と、各種演算を実行するＣＰＵ２と、各種データ等が記憶されている記憶装置１０とを備えている。
【００１７】
記憶装置１０には、ＣＰＵ２が実行するプロジェクト計画立案プログラム１９と、作業候補情報が格納されている作業候補ライブラリデータベース１１と、プロジェクト情報が格納されているプロジェクト情報データベース１２とが、予め記憶されている。また、プロジェクト計画立案プログラム１９の実行によって得られるプロジェクト計画の情報は、この記憶装置１０のプロジェクト計画データベース１５に記憶される。
【００１８】
このプロジェクト計画立案支援システム１００に対して、計画立案の指示や、計画立案結果の取得を行う端末３０は、インターネットＮに接続されている。
【００１９】
なお、ここでは、プロジェクト計画立案支援システム１００に対して、インターネットＮを介して接続されている端末３０が計画立案の指示等を行うようにしているが、プロジェクト計画立案支援システム１００を構成するコンピュータのキーボード等の入力装置で、計画立案の指示等を行うようにしてもよい。
【００２０】
また、ここでは、一つのコンピュータでプロジェクト計画立案支援システム１００を構成しているが、本発明は、これに限定されるものではなく、例えば、インターネットＮに接続されているＷＷＷサーバと、プロジェクト計画立案プログラムを実行するアプリケーションサーバと、上記データベース１１，１２，１５が記憶されているデータベースサーバと、で構成してもよい。
【００２１】
作業候補ライブラリデータベース１１は、プロジェクトで実施すべき作業情報に関して、必ず実施する作業のみでなく、代替候補の作業や、実施するか否かはプロジェクト毎に判断されるような作業の情報も含めて、組織標準として保持している。ここで保持する情報は、作業候補ＩＤ、作業名称、親作業候補ＩＤ、親との関係種別（詳細化型、代替型、追加型）、フェーズ等を含んでいる。ここで、フェーズとは、最上位の作業のことで、必ず時系列に並ぶ作業のことである。また、親作業とは、作業候補ＩＤが示す作業に対して上位の作業のことである。作業候補ＩＤ及びその作業名称には、親作業又は子作業のＩＤや名称が入力される。但し、作業候補ＩＤ及びその作業名称に、親作業のＩＤや名称が入力され、この親作業に対してさらに上位の親作業がない場合には、親作業候補ＩＤや親との関係種別にはなんら入力されない。なお、関係種別中の詳細化型、代替型、追加型に関しては後述する。
【００２２】
プロジェクト情報データベース１２は、プロジェクト計画立案者が作業計画を立てるプロジェクトの概要情報を保持している。ここで保持する情報は、プロジェクトＩＤ、プロジェクト名称、フェーズ、等を含んでいる。
【００２３】
プロジェクト計画データベース１５には、プロジェクト毎のプロジェクト計画情報が保持される。ここで保持する情報は、プロジェクトＩＤ、作業候補ＩＤ、作業名称、親作業候補ＩＤ、担当者名称、等を含んでいる。
【００２４】
図２にプロジェクト作業計画立案支援システムのメニュー画面の例を示す。
【００２５】
このメニュー画面は、プロジェクト計画立案者が操作する端末３０の画面である。メニュー画面には、プロジェクト支援者用のメニューアイコンとして、プロジェクト計画立案者又はその支援者が、プロジェクト計画を立案する際に参照する組織標準作業情報を登録する「組織標準作業の登録」３１、さらに、プロジェクト計画立案者用のメニューアイコンとして、プロジェクト計画立案者が担当するプロジェクトのフェーズや種別などの概要情報を登録する「プロジェクト情報登録」３２、プロジェクト計画立案者が担当するプロジェクトの作業計画を立案する「プロジェクト計画立案」３３を含んでいる。
【００２６】
図３にプロジェクト支援者が、組織標準としてプロジェクトで実施すべき作業の候補を登録し、プロジェクト計画立案者が、代替作業や追加作業候補を参照し、その中から選択することによってプロジェクトの作業計画を立案するフローの全体を示す。
【００２７】
まず、プロジェクト支援者が、プロジェクトでの実績等に基づき、組織標準作業を作成、あるいは改良し、プロジェクト作業計画立案支援システムへ登録する処理について説明する。
【００２８】
プロジェクト支援者は、完了プロジェクトの実績情報等に基づき、組織標準作業として管理すべき作業候補を構築する（ステップＳ２０）。
【００２９】
次に、プロジェクト支援者が、端末３０からインターネットＮを介して、プロジェクト作業計画立案支援システム１００のメニューページにアクセスし、「組織標準作業の登録」３１を選択する。すなわち、図２に示すメニュー画面上の「組織標準作業の登録」３１をクリックし、システム１００に対して、標準作業の登録処理開始要求を行う（Ｓ２１）。このクリックにより、プロジェクト計画立案支援システム１００は、図４に示す組織標準作業の登録画面データを端末３０に送り、この端末の表示装置に組織標準作業の登録画面データを表示させる（Ｓ１０）。支援者は、この登録画面にて、プロジェクトのフェーズ、作業名称、親作業との関係の各情報を画面上部エリアの各入力欄に従って入力し、下部エリアに表示されている登録済みの組織標準作業の一覧中から、作業を挿入したい親作業等を選択し、「登録」ボタン４１をクリックすることにより（Ｓ２２）、プロジェクト計画立案支援システム１００は、作業候補ライブラリデータベース１１の「作業候補ＩＤ」欄にＩＤコードを自動生成し、「作業名称」欄に「作業名称」、「親作業との関係種別」欄に選択した関係種別、「親作業候補ＩＤ」欄に選択した親作業のＩＤ、「フェーズ」欄に「プロジェクトのフェーズ」、をそれぞれ登録する（Ｓ１１）。
【００３０】
ここで、「親作業との関係種別」としての詳細化型、代替型、追加型について説明する。
【００３１】
詳細化型の子作業とは、親作業に対して、この親作業をさらに細分化した関係の子作業のことである。例えば、親作業が「案件調査」である場合には、この「案件調査」の作業をさらに細分化した子作業としては、「顧客引合い仕様書の確認」「顧客プロフィールの把握」「顧客キーマンの見極め」「製品リストの作成」等の子作業があるとする。この場合、この親作業「案件調査」と、これらの子作業とは、詳細化型の関係である。
【００３２】
また、代替型の子作業とは、親作業に対して、この親作業を具体的に実行するために代替可能な関係の子作業のことである。例えば、親作業が「見積り提出の可否判断」である場合には、この「見積り提出の可否判断」を具体的に実行するための作業として、「Ａ会議」「Ｂ会議」「Ｃ開示」「部長判断」「課長判断」等の子作業があるとする。これら子作業は、親作業に対して代替が可能で、また、ある子作業の代わりに、他の子作業を選択しても、著しく不都合がない。このような親作業「見積り提出の可否判断」と、これらの子作業とは、代替型の関係である。
【００３３】
追加型の子作業とは、親作業に対して、この親作業の達成のために、必ず必要と言えないまでも、実行することで親作業を好ましいかたちで達成できるような、オプションとしての関係の子作業のことである。例えば、親作業が「システム見積り」である場合には、この「システム見積り」を好ましい形で達成するためのオプションとしての子作業として、「土建/据付見積り」「ソフトウェア見積り」「サービス見積り」等の子作業があるとする。この場合、親作業「システム見積り」と、これらの子作業とは、追加型である。
【００３４】
次に、図３に戻り、プロジェクト計画立案者が、計画立案を担当するプロジェクトの情報を登録する処理を説明する。
【００３５】
プロジェクト計画立案者は、端末３０からインターネットＮを介してメニューホームページへアクセスし、「プロジェクト情報の登録」３２を選択する。すなわち、図２に示すメニュー画面上の「プロジェクト情報の登録」３２をクリックし、システム１００に対して、プロジェクト情報の登録処理開始要求を行う（Ｓ３０）。このクリックにより、プロジェクト計画立案支援システム１００は、図５に示すプロジェクト情報の登録画面データを端末３０に送り、この端末の表示装置にプロジェクト情報の登録画面データを表示させる（Ｓ１２）。
【００３６】
計画立案者は、このプロジェクト情報の登録画面で、プロジェクト名称、プロジェクトのフェーズ、の各情報を画面エリアに従って入力し、「登録」ボタン５１をクリックすることにより（Ｓ３１）、プロジェクト計画立案支援システム１００は、プロジェクト情報データベース１２の「プロジェクトＩＤ」欄にＩＤコードを自動生成し、「プロジェクト名称」欄に「プロジェクト名称」、「フェーズ」欄に「プロジェクトのフェーズ」、をそれぞれ登録する（Ｓ１３）。
【００３７】
次に、図３に戻り、プロジェクト計画立案者が、組織標準の作業候補を参照し、追加や代替を実施しながら、担当するプロジェクトの計画を立案し、結果を登録する処理について説明する。
【００３８】
プロジェクト計画立案者は、端末３０からインターネットＮを介してメニューホームページへアクセスし、「プロジェクト計画立案」３３を選択する。すなわち、図２に示すメニュー画面上の「プロジェクト計画立案」３３をクリックし、システム１００に対して、プロジェクトの計画立案処理開始要求を行う（Ｓ３０）。このクリックにより、プロジェクト計画立案支援システム１００は、図６に示すプロジェクト計画立案の画面データを端末３０に送り、この端末の表示装置にプロジェクト計画立案の画面データを表示させる（Ｓ１６）。なお、この際、プロジェクト計画立案画面中には、上部のプロジェクト情報欄６０のみが表示されており、下部の親作業候補欄６５は表示されていない。
【００３９】
プロジェクト計画立案者は、このプロジェクト計画立案画面にて、プロジェクト名称とプロジェクトのフェーズの各情報を画面エリアに従って入力すると（Ｓ３３）、プロジェクト計画立案支援システム１００は、作業候補ライブラリデータベース１１から、「フェーズ」の条件に合致する親作業情報の一式（作業候補ＩＤ、作業名称、親作業ＩＤ、等）を読出し、端末３０の表示装置に、図６に示すように、プロジェクト計画立案画面の下部に親作業候補欄６５を表示させると共に、この欄６５内に対応フェーズの１以上の親作業候補を一覧表示させる（Ｓ１７）。この親作業候補欄６５には、１以上の親作業候補６６の他、各親作業候補に対する子作業の各関係種別の数６７，６８、各親作業候補６６を削除するか否かの削除ボタン６９も表示される。複数の親作業候補６６は、実施順番に対応して上から順番に表示される。各親作業候補に対する子作業の各関係種別の数６７，６８は、作業候補ライブラリデータベース１１のうちで、当該親作業候補のＩＤを「親作業候補ＩＤ」とし、該当関係種別を関係種別としている子作業の数であり、プロジェクト計画支援システム１００がこの数を求める。なお、ここでは、各親作業候補に対する子作業の関係種別の数６７，６８としては、代替型の候補件数６７と、追加型の候補件数６８のみを表示しているが、詳細型の候補が存在する場合には、この候補件数も表示される。
【００４０】
端末３０の表示装置に、親作業候補情報が表示されると（Ｓ１７）、プロジェクト計画立案者は、１以上の親作業候補のうちから、実施する親作業を指定する（Ｓ３４）。具体的には、親作業候補欄６５中の１以上の親作業候補６７のうちで、実施しない親作業候補の削除ボタン６９をクリックすることで、実施する親作業を指定する。この場合、削除ボタン６９が押されない全ての親作業候補６７が実施する親作業として受け付けられる。プロジェクト計画立案支援システム１００は、指定された親作業の作業情報（作業候補ＩＤ、作業名称、親作業ＩＤ、等）および選択したプロジェクト情報（プロジェクトＩＤ、等）をプロジェクト計画データベース１５の「プロジェクトＩＤ」、「作業候補ＩＤ」、「作業名称」、「親作業候補ＩＤ」に記録する。
【００４１】
次に、プロジェクト計画立案者は、ステップ３４で指定した親作業に対する子作業の関係種別を指定する（Ｓ３６）。具体的に、図６の例では、代替型の候補件数６７と、追加型の候補件数６８とのうちの、いずれか一方、又は両方をクリックする。
【００４２】
ここで、プロジェクト計画立案者が、ステップ３４で、図６中の親作業候補６６のうちから、「顧客企業プロフィールの調査・確認」を指定し、ステップ３５で、その子作業の関係種別として、代替型を指定した場合、プロジェクト計画立案支援システム１００は、プロジェクト計画立案者の端末３０の表示装置に、図７に示すように、代替作業候補画面を表示させる（Ｓ１８）。この代替作業候補画面には、上部に、図６の親作業候補６６のうちで指定した親作業候補名「顧客企業プロフィールの調査・確認」７０が表示され、その下部に、この親作業に対する代替型の全ての子作業７１が表示される。ここでは、作業候補ライブラリデータベース１１から、この親作業候補の「親作業ＩＤ」と関連付けられ、且つ「親との関係種別」で代替型として定められている全ての子作業７１が代替作業候補として抽出される。プロジェクト計画立案者は、この代替作業候補画面を見て、この代替作業候補としての１以上の子作業７１のうちから、一つを選び、入替ボタン７２をクリックすると、プロジェクト計画立案支援システム１００は、プロジェクト計画情報データベース１５から、入替え元の親作業ＩＤのレコードを削除し、指定された子作業の情報（作業候補ＩＤ、作業名称、親作業ＩＤ、プロジェクトＩＤ、等）をプロジェクト計画情報データベース１５に記録する（Ｓ１９）。
【００４３】
また、プロジェクト計画立案者が、ステップ３４で、図６中の親作業候補６６のうちから、「顧客引合仕様書の入手と確認」を指定し、ステップ３５で、その子作業の関係種別として、追加型を指定した場合、プロジェクト計画立案支援システム１００は、プロジェクト計画立案者の端末３０の表示装置に、図８に示すように、追加作業候補画面を表示させる（Ｓ１８）。この追加作業候補画面には、上部に、図６の親作業候補６６のうちで指定した親作業候補名「顧客引合仕様書の入手と確認」８０が表示され、その下部に、この親作業に対する追加型の全ての子作業８１が表示される。ここでは、作業候補ライブラリデータベース１１から、この親作業候補の「親作業ＩＤ」と関連付けられ、且つ「親との関係種別」で追加型として定められている全ての子作業７１が追加作業候補として抽出される。プロジェクト計画立案者は、この追加作業候補画面を見て、この追加作業候補としての１以上の子作業７１のうちから、一つを選び、入替ボタン８２をクリックすると、プロジェクト計画立案支援システム１００は、プロジェクト計画情報データベース１５に、新たに追加するこの子作業７１の情報（作業候補ＩＤ、作業名称、親作業ＩＤ、プロジェクトＩＤ、等）を記録する（Ｓ１９）。
【００４４】
プロジェクト計画立案者は、その後、ステップ３３で入力したフェーズで、実行する全ての親作業を指定したか否かを判断し（Ｓ３７）、指定していなければ、ステップ３３に戻る。さらに、全てのフェーズを入力済みか否かを判断し（Ｓ３７）、入力済みでなければステップ３３に戻り、入力済みであれば計画立案作業を終了する。
【００４５】
以降、プロジェクト計画立案者等は、必要に応じて、端末３０からプロジェクト計画立案支援システム１００のプロジェクト計画データベース１５にアクセスし、所望のプロジェクトＩＤを指定することで、このプロジェクトＩＤのプロジェクト計画を参照することができる。
【００４６】
以上、本実施形態では、作業項目を正確に抽出できないような業務において、経験の乏しいプロジェクト計画立案者が、効果的で、かつ効率的なプロジェクト作業計画を立案できる。特に、プロジェクトを支援するスタッフであるプロジェクト支援者が、予め組織の標準となる作業情報を、必須な作業、代替候補のある作業、および必要に応じて追加する作業の種別を付加して作業候補ライブラリにて管理することにより、プロジェクト計画立案者は、立案経験が乏しくても、必須な作業項目を参照するのみでなく、代替作業候補や追加作業候補を参照し、必要に応じて入替えや追加をすることによって、短時間で楽に計画を立案することができる。
【図面の簡単な説明】
【００４７】
【図１】本発明の一実施形態であるプロジェクト計画立案支援システムの構成図である。
【図２】本発明の一実施形態であるプロジェクト計画立案支援システムのメニュー画面を示す説明図である。
【図３】本発明の一実施形態であるプロジェクト計画立案作業のフローチャートである。
【図４】本発明の一実施形態である組織標準作業の登録画面を示す説明図である
【図５】本発明の一実施形態であるプロジェクト情報の登録画面を示す説明図である。
【図６】本発明の一実施形態であるプロジェクト計画立案画面を示す説明図である。
【図７】本発明の一実施形態である代替作業候補画面を示す説明図である。
【図８】本発明の一実施形態である追加作業候補画面を示す説明図である。
【符号の説明】
【００４８】
１：ネットワークインタフェース、２：ＣＰＵ、１０：記憶装置、１１：作業候補ライブラリデータベース、１２：プロジェクト情報データベース、１５：プロジェクト計画データベース、１９：プロジェクト計画立案プログラム
【図１】
2009169667.tif 000003
【図２】
2009169667.tif 000004
【図３】
2009169667.tif 000005
【図４】
2009169667.tif 000006
【図５】
2009169667.tif 000007
【図６】
2009169667.tif 000008
【図７】
2009169667.tif 000009
【図８】
2009169667.tif 000010